(57)【要約】  本発明は時間領域リソース情報の指示方法及び装置を提供し、前記方法は、様々なサブキャリア間隔を用いた移動通信システムにおいて、プリセットサブキャリア間隔情報に基づいてデータチャネルの時間領域リソース指示情報を伝送することを含む。前記プリセットサブキャリア間隔情報は前記様々なサブキャリア間隔のうちの１つ又は前記様々なサブキャリア間隔に基づくルールを含んでもよい。本発明は５Ｇ  ＮＲ等の様々なサブキャリア間隔を用いたシステムに対して、プリセットサブキャリア間隔情報に基づいてデータチャネルの時間領域リソース情報を示すメカニズムを提供する。
2020529142.tif 000002
【特許請求の範囲】
【請求項１】
時間領域リソース情報の指示方法であって、
様々なサブキャリア間隔を用いた移動通信システムにおいて、プリセットサブキャリア間隔情報に基づいてデータチャネルの時間領域リソース指示情報を伝送することを含むことを特徴とする時間領域リソース情報の指示方法。
【請求項２】
前記プリセットサブキャリア間隔情報が前記様々なサブキャリア間隔のうちの１つ又は前記様々なサブキャリア間隔に基づくルールを含むことを特徴とする請求項１に記載の方法。
【請求項３】
プリセットサブキャリア間隔情報に基づいてデータチャネルの時間領域リソース指示情報を伝送することは、
第１デバイスがプリセットサブキャリア間隔情報に基づいて第２デバイスへデータチャネルの時間領域リソース指示情報を送信し、又は
第２デバイスが、第１デバイスがプリセットサブキャリア間隔情報に基づいて送信したデータチャネルの時間領域リソース指示情報を受信することを含むことを特徴とする請求項１に記載の方法。
【請求項４】
前記データチャネルの時間領域リソース指示情報は、
データチャネルの時間領域の起点、時間領域の終点及び時間領域の長さのうちの１つ又は任意の組み合わせ、又は
データチャネルの占有するシンボル又はスロットを含むことを特徴とする請求項１に記載の方法。
【請求項５】
前記データチャネルの時間領域リソース指示情報は、更に、
該時間領域リソース指示情報の基礎となるサブキャリア間隔指示情報、
該時間領域リソース指示情報の基礎となるサブキャリア間隔の値、
該時間領域リソース指示情報の基礎となる様々なサブキャリア間隔に基づくルールのルール指示情報のうちの少なくとも１つを含むことを特徴とする請求項４に記載の方法。
【請求項６】
前記データチャネルの時間領域の長さがデータチャネルの用いたサブキャリア間隔に基づいて示されることを特徴とする請求項４に記載の方法。
【請求項７】
前記データチャネルの時間領域の長さがデータチャネルの用いたサブキャリア間隔に基づいて示されることは、具体的に、
前記データチャネルの時間領域の長さが第１シンボル長又は第１スロット長を単位として示され、前記第１シンボル長がデータチャネルの用いたサブキャリア間隔に基づくシンボル長であり、第１スロット長がデータチャネルの用いたサブキャリア間隔に基づくスロット長であることを含むことを特徴とする請求項６に記載の方法。
【請求項８】
前記データチャネルの時間領域の起点及び／又は時間領域の終点がデータチャネルの用いたサブキャリア間隔に基づいて示され、又は
前記データチャネルの時間領域の起点及び／又は時間領域の終点が様々なサブキャリア間隔に基づくルールに従って示されることを特徴とする請求項４に記載の方法。
【請求項９】
前記データチャネルの時間領域の起点及び／又は時間領域の終点がデータチャネルの用いたサブキャリア間隔に基づいて示されることは、具体的に、
前記データチャネルの時間領域の起点及び／又は時間領域の終点が第１シンボル長及び／又は第１スロット長を単位として示され、前記第１シンボル長がデータチャネルの用いたサブキャリア間隔に基づくシンボル長であり、第１スロット長がデータチャネルの用いたサブキャリア間隔に基づくスロット長であることを含むことを特徴とする請求項８に記載の方法。
【請求項１０】
前記データチャネルの時間領域の起点及び／又は時間領域の終点が第１シンボル長及び／又は第１スロット長を単位として示されることは、具体的に、
前記データチャネルの時間領域の起点及び／又は時間領域の終点が前記制御チャネルに対するデータチャネルの時間領域位置のオフセット量に含まれる第１シンボル長及び／又は第１スロット長の数を用いて示され、又は
前記データチャネルの時間領域の起点及び／又は時間領域の終点が前記制御チャネルを含む時間領域エリアに対するデータチャネルの時間領域位置のオフセット量に含まれる第１シンボル長及び／又は第１スロット長の数を用いて示されることを含むことを特徴とする請求項９に記載の方法。
【請求項１１】
前記制御チャネルの時間領域位置は、
前記制御チャネルの時間領域の起点又は時間領域の終点の位置するデータチャネルのサブキャリア間隔に基づくシンボル又はスロットを含むことを特徴とする請求項１０に記載の方法。
【請求項１２】
前記ルールが前記移動通信システムの用いた様々なサブキャリア間隔のうちの最大サブキャリア間隔を含むことを特徴とする請求項８に記載の方法。
【請求項１３】
前記データチャネルの時間領域の起点及び／又は時間領域の終点がルールに従って示されることは、具体的に、
前記データチャネルの時間領域の起点及び／又は時間領域の終点が第２シンボル長及び／又は第２スロット長を単位として示され、前記第２シンボル長が前記最大サブキャリア間隔に基づくシンボル長であり、第２スロット長が前記最大サブキャリア間隔に基づくスロット長であることを含むことを特徴とする請求項１２に記載の方法。
【請求項１４】
前記データチャネルの時間領域の起点及び／又は時間領域の終点が第２シンボル長及び／又は第２スロット長を単位として示されることは、具体的に、
前記データチャネルの時間領域の起点及び／又は時間領域の終点が前記制御チャネルに対するデータチャネルの時間領域位置のオフセット量に含まれる第２シンボル長及び／又は第２スロット長の数を用いて示され、又は
前記データチャネルの時間領域の起点及び／又は時間領域の終点が前記データチャネルを含む時間領域エリアに対するデータチャネルの時間領域位置のオフセット量に含まれる第２シンボル長及び／又は第２スロット長の数を用いて示されることを含むことを特徴とする請求項１３に記載の方法。
【請求項１５】
前記制御チャネルの時間領域位置は、
前記制御チャネルの時間領域の起点又は時間領域の終点の位置する前記最大サブキャリア間隔に基づくシンボル又はスロットを含むことを特徴とする請求項１４に記載の方法。
【請求項１６】
前記制御チャネルを含む時間領域エリアは、
前記制御チャネルを含む制御リソースセット又は検索空間を含むことを特徴とする請求項１０又は１４に記載の方法。
【請求項１７】
前記データチャネルの占有するシンボルが第１シンボル長に基づくビットマップｂｉｔｍａｐを用いて示され、
前記データチャネルの占有するスロットが第１スロット長に基づくｂｉｔｍａｐを用いて示され、
前記第１シンボル長がデータチャネルの用いたサブキャリア間隔に基づくシンボル長であり、第１スロット長がデータチャネルの用いたサブキャリア間隔に基づくスロット長であることを特徴とする請求項４に記載の方法。
【請求項１８】
前記移動通信システムにおいて、制御チャネル及びデータチャネルが異なる帯域幅セグメントを用いることを特徴とする請求項１に記載の方法。
【請求項１９】
前記第１デバイスがネットワーク側機器であり、前記第２デバイスが端末装置であり、又は
前記第１デバイスが第１端末装置であり、前記第２デバイスが第２端末装置であることを特徴とする請求項３に記載の方法。
【請求項２０】
様々なサブキャリア間隔を用いた前記移動通信システムが５Ｇ  ＮＲシステムを含むことを特徴とする請求項１に記載の方法。
【請求項２１】
時間領域リソース情報の指示装置であって、
様々なサブキャリア間隔を用いた移動通信システムにおいて、プリセットサブキャリア間隔情報に基づいてデータチャネルの時間領域リソース指示情報を伝送するための指示伝送ユニットを備えることを特徴とする時間領域リソース情報の指示装置。
【請求項２２】
装置が第１デバイスに設置される場合、該装置は、更に、
プリセットサブキャリア間隔情報に基づいてデータチャネルを送信する時間領域リソース指示情報を決定して、前記時間領域リソース指示情報を前記指示伝送ユニットに提供するための指示決定ユニットを備え、
前記指示伝送ユニットは第２デバイスへ前記データチャネルの時間領域リソース指示情報を送信することに用いられることを特徴とする請求項２１に記載の装置。
【請求項２３】
前記装置が第２デバイスに設置される場合、該装置は、更に、
プリセットサブキャリア間隔情報に基づいて前記指示決定ユニットの受信したデータチャネルの時間領域リソース指示情報を解析することにより、データチャネルの占有する時間領域リソースを決定するための指示解析ユニットを備え、
前記指示伝送ユニットは第１デバイスから送信されたデータチャネルの時間領域リソース指示情報を受信することに用いられることを特徴とする請求項２１に記載の装置。
【請求項２４】
前記プリセットサブキャリア間隔情報が前記様々なサブキャリア間隔のうちの１つ又は前記様々なサブキャリア間隔に基づくルールを含むことを特徴とする請求項２１、２２又は２３に記載の装置。
【請求項２５】
前記データチャネルの時間領域リソース指示情報は、
データチャネルの時間領域の起点、時間領域の終点及び時間領域の長さのうちの１つ又は任意の組み合わせ、又は
データチャネルの占有するシンボル又はスロットを含むことを特徴とする請求項２１、２２又は２３に記載の装置。
【請求項２６】
前記データチャネルの時間領域リソース指示情報は、更に、
該時間領域リソース指示情報の基礎となるサブキャリア間隔指示情報、
該時間領域リソース指示情報の基礎となるサブキャリア間隔の値、
該時間領域リソース指示情報の基礎となる様々なサブキャリア間隔に基づくルールのルール指示情報のうちの少なくとも１つを含むことを特徴とする請求項２５に記載の装置。
【請求項２７】
前記データチャネルの時間領域の長さがデータチャネルの用いたサブキャリア間隔に基づいて示されることを特徴とする請求項２５に記載の装置。
【請求項２８】
前記データチャネルの時間領域の起点及び／又は時間領域の終点がデータチャネルの用いたサブキャリア間隔に基づいて示され、又は
前記データチャネルの時間領域の起点及び／又は時間領域の終点が様々なサブキャリア間隔に基づくルールに従って示されることを特徴とする請求項２５に記載の装置。
【請求項２９】
前記ルールが前記移動通信システムの用いた様々なサブキャリア間隔のうちの最大サブキャリア間隔を含むことを特徴とする請求項２８に記載の装置。
【請求項３０】
前記データチャネルの占有するシンボルが第１シンボル長に基づくビットマップｂｉｔｍａｐを用いて示され、
前記データチャネルの占有するスロットが第１スロット長に基づくｂｉｔｍａｐを用いて示され、
前記第１シンボル長がデータチャネルの用いたサブキャリア間隔に基づくシンボル長であり、第１スロット長がデータチャネルの用いたサブキャリア間隔に基づくスロット長であることを特徴とする請求項２５に記載の装置。
【請求項３１】
前記移動通信システムにおいて、制御チャネル及びデータチャネルが異なる帯域幅セグメントを用いることを特徴とする請求項２１に記載の装置。
【請求項３２】
デバイスであって、
１つ又は複数のプロセッサと、
メモリと、
前記メモリに記憶され、前記１つ又は複数のプロセッサによって請求項１〜２０のいずれか１項に記載の方法における操作を実行する１つ又は複数のプログラムと、を備えるデバイス。
【請求項３３】
コンピュータ実行可能命令を含む記憶媒体であって、
前記コンピュータ実行可能命令はコンピュータプロセッサにより実行されるとき、請求項１〜２０のいずれか１項に記載の方法における操作を実行することに用いられるコンピュータ実行可能命令を含む記憶媒体。
【発明の詳細な説明】
【技術分野】
【０００１】
本発明は無線通信技術分野に関し、特に時間領域リソース情報の指示方法及び装置に関する。
【背景技術】
【０００２】
ＬＴＥ（Ｌｏｎｇ  Ｔｅｒｍ  Ｅｖｏｌｕｔｉｏｎ、ロングタームエボリューション）システムにおいて、１つのみのサブキャリア間隔、すなわち１５ｋＨｚを用い、制御チャネル及びデータチャネルがいずれも該サブキャリア間隔に基づくパラメータセットを用いる。ところが、通信技術の継続的な発展に伴い、より広い帯域幅、より短い遅延及びより広いサービスニーズを実現するために、５Ｇ  ＮＲ（Ｎｅｗ  Ｒａｄｉｏ、新無線）システムには様々なサブキャリア間隔、例えば３．７５ｋＨｚ、３０ｋＨｚ、６０ｋＨｚ及び１２０ｋＨｚ等が導入される。制御チャネル及びデータチャネルが異なる特性を有するので、リソース割り当ての柔軟性を維持するために、制御チャネル及びデータチャネルが異なるサブキャリア間隔を用いることを許容する。
【０００３】
従来のＬＴＥシステムにおいて、データチャネルの占有する時間領域リソース情報がいずれも単一のサブキャリア間隔に基づいて示され、指示情報に含まれるデータチャネルの起点及び伝送長にはシンボル／スロット等の時間単位の数が含まれればよい。５Ｇ  ＮＲシステムにおいてこのような指示方式を用いる場合、端末装置は該指示情報がどのサブキャリア間隔に基づくものであるかを把握できず、様々なサブキャリア間隔に基づいてそれぞれ復号してみる必要があるため、端末の複雑さ及びリソース消費量（例えば、電力消費量）が大幅に向上してしまう。
【発明の概要】
【発明が解決しようとする課題】
【０００４】
これに鑑みて、本発明は５Ｇ  ＮＲ等の様々なサブキャリア間隔を用いるシステムに適用される時間領域リソース情報の指示方法及び装置を提供する。
【課題を解決するための手段】
【０００５】
本発明は時間領域リソース情報の指示方法を提供し、該方法は、
様々なサブキャリア間隔を用いる移動通信システムにおいて、プリセットサブキャリア間隔情報に基づいてデータチャネルの時間領域リソース指示情報を伝送することを含む。
【０００６】
本発明の具体的な実施形態によれば、前記プリセットサブキャリア間隔情報が前記様々なサブキャリア間隔のうちの１つ又は前記様々なサブキャリア間隔に基づくルールを含む。
【０００７】
本発明の具体的な実施形態によれば、プリセットサブキャリア間隔情報に基づいてデータチャネルの時間領域リソース指示情報を伝送することは、
第１デバイスがプリセットサブキャリア間隔情報に基づいて第２デバイスへデータチャネルの時間領域リソース指示情報を送信し、又は
第２デバイスが、第１デバイスがプリセットサブキャリア間隔情報に基づいて送信したデータチャネルの時間領域リソース指示情報を受信することを含む。
【０００８】
本発明の具体的な実施形態によれば、前記データチャネルの時間領域リソース指示情報は、
データチャネルの時間領域の起点、時間領域の終点及び時間領域の長さのうちの１つ又は任意の組み合わせ、又は
データチャネルの占有するシンボル又はスロットを含む。
【０００９】
本発明の具体的な実施形態によれば、前記データチャネルの時間領域リソース指示情報は、更に、
該時間領域リソース指示情報の基礎となるサブキャリア間隔指示情報、
該時間領域リソース指示情報の基礎となるサブキャリア間隔の値、
該時間領域リソース指示情報の基礎となる様々なサブキャリア間隔に基づくルールのルール指示情報のうちの少なくとも１つを含む。
【００１０】
本発明の具体的な実施形態によれば、前記データチャネルの時間領域の長さがデータチャネルの用いたサブキャリア間隔に基づいて示される。
【００１１】
本発明の具体的な実施形態によれば、前記データチャネルの時間領域の長さがデータチャネルの用いたサブキャリア間隔に基づいて示されることは、具体的に、
前記データチャネルの時間領域の長さが第１シンボル長又は第１スロット長を単位として示され、前記第１シンボル長がデータチャネルの用いたサブキャリア間隔に基づくシンボル長であり、第１スロット長がデータチャネルの用いたサブキャリア間隔に基づくスロット長であることを含む。
【００１２】
本発明の具体的な実施形態によれば、前記データチャネルの時間領域の起点及び／又は時間領域の終点がデータチャネルの用いたサブキャリア間隔に基づいて示され、又は
前記データチャネルの時間領域の起点及び／又は時間領域の終点が様々なサブキャリア間隔に基づくルールに従って示される。
【００１３】
本発明の具体的な実施形態によれば、前記データチャネルの時間領域の起点及び／又は時間領域の終点がデータチャネルの用いたサブキャリア間隔に基づいて示されることは、具体的に、
前記データチャネルの時間領域の起点及び／又は時間領域の終点が第１シンボル長及び／又は第１スロット長を単位として示され、前記第１シンボル長がデータチャネルの用いたサブキャリア間隔に基づくシンボル長であり、第１スロット長がデータチャネルの用いたサブキャリア間隔に基づくスロット長であることを含む。
【００１４】
本発明の具体的な実施形態によれば、前記データチャネルの時間領域の起点及び／又は時間領域の終点が第１シンボル長及び／又は第１スロット長を単位として示されることは、具体的に、
前記データチャネルの時間領域の起点及び／又は時間領域の終点が前記制御チャネルに対するデータチャネルの時間領域位置のオフセット量に含まれる第１シンボル長及び／又は第１スロット長の数を用いて示され、又は
前記データチャネルの時間領域の起点及び／又は時間領域の終点が前記制御チャネルを含む時間領域エリアに対するデータチャネルの時間領域位置のオフセット量に含まれる第１シンボル長及び／又は第１スロット長の数を用いて示されることを含む。
【００１５】
本発明の具体的な実施形態によれば、前記制御チャネルの時間領域位置は、
前記制御チャネルの時間領域の起点又は時間領域の終点の位置するデータチャネルのサブキャリア間隔に基づくシンボル又はスロットを含む。
【００１６】
本発明の具体的な実施形態によれば、前記ルールが前記移動通信システムの用いた様々なサブキャリア間隔のうちの最大サブキャリア間隔を含む。
【００１７】
本発明の具体的な実施形態によれば、前記データチャネルの時間領域の起点及び／又は時間領域の終点がルールに従って示されることは、具体的に、
前記データチャネルの時間領域の起点及び／又は時間領域の終点が第２シンボル長及び／又は第２スロット長を単位として示され、前記第２シンボル長が前記最大サブキャリア間隔に基づくシンボル長であり、第２スロット長が前記最大サブキャリア間隔に基づくスロット長であることを含む。
【００１８】
本発明の具体的な実施形態によれば、前記データチャネルの時間領域の起点及び／又は時間領域の終点が第２シンボル長及び／又は第２スロット長を単位として示されることは、具体的に、
前記データチャネルの時間領域の起点及び／又は時間領域の終点が前記制御チャネルに対するデータチャネルの時間領域位置のオフセット量に含まれる第２シンボル長及び／又は第２スロット長の数を用いて示され、又は
前記データチャネルの時間領域の起点及び／又は時間領域の終点が前記データチャネルを含む時間領域エリアに対するデータチャネルの時間領域位置のオフセット量に含まれる第２シンボル長及び／又は第２スロット長の数を用いて示されることを含む。
【００１９】
本発明の具体的な実施形態によれば、前記制御チャネルの時間領域位置は、
前記制御チャネルの時間領域の起点又は時間領域の終点の位置する前記最大サブキャリア間隔に基づくシンボル又はスロットを含む。
【００２０】
本発明の具体的な実施形態によれば、前記制御チャネルを含む時間領域エリアは、
前記制御チャネルを含む制御リソースセット又は検索空間を含む。
【００２１】
本発明の具体的な実施形態によれば、前記データチャネルの占有するシンボルが第１シンボル長に基づくビットマップｂｉｔｍａｐを用いて示され、
前記データチャネルの占有するスロットが第１スロット長に基づくｂｉｔｍａｐを用いて示され、
前記第１シンボル長がデータチャネルの用いたサブキャリア間隔に基づくシンボル長であり、第１スロット長がデータチャネルの用いたサブキャリア間隔に基づくスロット長である。
【００２２】
本発明の具体的な実施形態によれば、前記移動通信システムにおいて、制御チャネル及びデータチャネルが異なる帯域幅セグメントを用いる。
【００２３】
本発明の具体的な実施形態によれば、前記第１デバイスがネットワーク側機器であり、前記第２デバイスが端末装置であり、又は
前記第１デバイスが第１端末装置であり、前記第２デバイスが第２端末装置である。
【００２４】
本発明の具体的な実施形態によれば、様々なサブキャリア間隔を用いた前記移動通信システムが５Ｇ  ＮＲシステムを含む。
【００２５】
本発明は更に時間領域リソース情報の指示装置を提供し、該装置は、
様々なサブキャリア間隔を用いた移動通信システムにおいて、プリセットサブキャリア間隔情報に基づいてデータチャネルの時間領域リソース指示情報を伝送するための指示伝送ユニットを備える。
【００２６】
本発明の具体的な実施形態によれば、装置が第１デバイスに設置される場合、該装置は、更に、
プリセットサブキャリア間隔情報に基づいてデータチャネルを送信する時間領域リソース指示情報を決定して、前記時間領域リソース指示情報を前記指示伝送ユニットに提供するための指示決定ユニットを備え、
前記指示伝送ユニットは第２デバイスへ前記データチャネルの時間領域リソース指示情報を送信することに用いられる。
【００２７】
本発明の具体的な実施形態によれば、前記装置が第２デバイスに設置される場合、該装置は、更に指示解析ユニットを備え、
前記指示伝送ユニットは第１デバイスから送信されたデータチャネルの時間領域リソース指示情報を受信することに用いられ、
前記指示解析ユニットはプリセットサブキャリア間隔情報に基づいて前記指示決定ユニットの受信したデータチャネルの時間領域リソース指示情報を解析することにより、データチャネルの占有する時間領域リソースを決定することに用いられる。  
【００２８】
本発明の具体的な実施形態によれば、前記プリセットサブキャリア間隔情報が前記様々なサブキャリア間隔のうちの１つ又は前記様々なサブキャリア間隔に基づくルールを含む。
【００２９】
本発明の具体的な実施形態によれば、前記データチャネルの時間領域リソース指示情報は、
データチャネルの時間領域の起点、時間領域の終点及び時間領域の長さのうちの１つ又は任意の組み合わせ、又は
データチャネルの占有するシンボル又はスロットを含む。
【００３０】
本発明の具体的な実施形態によれば、前記データチャネルの時間領域リソース指示情報は、更に、
該時間領域リソース指示情報の基礎となるサブキャリア間隔指示情報、
該時間領域リソース指示情報の基礎となるサブキャリア間隔の値、
該時間領域リソース指示情報の基礎となる様々なサブキャリア間隔に基づくルールのルール指示情報のうちの少なくとも１つを含む。
【００３１】
本発明の具体的な実施形態によれば、前記データチャネルの時間領域の長さがデータチャネルの用いたサブキャリア間隔に基づいて示される。
【００３２】
本発明の具体的な実施形態によれば、前記データチャネルの時間領域の起点及び／又は時間領域の終点がデータチャネルの用いたサブキャリア間隔に基づいて示され、又は
前記データチャネルの時間領域の起点及び／又は時間領域の終点が様々なサブキャリア間隔に基づくルールに従って示される。
【００３３】
本発明の具体的な実施形態によれば、前記ルールが前記移動通信システムの用いた様々なサブキャリア間隔のうちの最大サブキャリア間隔を含む。
【００３４】
本発明の具体的な実施形態によれば、前記データチャネルの占有するシンボルが第１シンボル長に基づくビットマップｂｉｔｍａｐを用いて示され、
前記データチャネルの占有するスロットが第１スロット長に基づくｂｉｔｍａｐを用いて示され、
前記第１シンボル長がデータチャネルの用いたサブキャリア間隔に基づくシンボル長であり、第１スロット長がデータチャネルの用いたサブキャリア間隔に基づくスロット長である。
【００３５】
本発明の具体的な実施形態によれば、前記移動通信システムにおいて、制御チャネル及びデータチャネルが異なる帯域幅セグメントを用いる。
【００３６】
本発明は更にデバイスを提供し、
１つ又は複数のプロセッサと、
メモリと、
前記メモリに記憶され、前記１つ又は複数のプロセッサによって上記方法における操作を実行する１つ又は複数のプログラムと、を備える。
【００３７】
本発明は更にコンピュータ実行可能命令を含む記憶媒体を提供し、前記コンピュータ実行可能命令はコンピュータプロセッサにより実行されるとき、上記方法における操作を実行することに用いられる。
【発明の効果】
【００３８】
以上の技術案によって、本発明は５Ｇ  ＮＲ等の様々なサブキャリア間隔を用いたシステムに対して、プリセットサブキャリア間隔情報に基づいてデータチャネルの時間領域リソース情報を示すメカニズムを提供する。制御チャネル及びデータチャネルが様々なサブキャリア間隔を用いる場合に適用され、リソース割り当ての柔軟性を向上させる一方、端末装置がプリセットサブキャリア間隔情報に基づいてデータチャネルの時間領域リソース指示情報を復号すればよく、端末の複雑さ及びリソース消費量を減少させる。
【図面の簡単な説明】
【００３９】
【図１】図１は本発明の実施例１に係るデータチャネル時間領域の長さを示す模式図である。
【図２】図２は本発明の実施例１に係る他のデータチャネル時間領域の長さを示す模式図である。
【図３】図３は本発明の実施例２に係るデータチャネル時間領域の起点を示す模式図である。
【図４】図４は本発明の実施例２に係る他のデータチャネル時間領域の起点を示す模式図である。
【図５】図５は本発明の実施例２に係る他のデータチャネル時間領域の起点を示す模式図である。
【図６】図６は本発明の実施例３に係るデータチャネル時間領域の起点を示す模式図である。
【図７】図７は本発明の実施例４に係るデータチャネルの占有するシンボルを示す模式図である。
【図８】図８は本発明の実施例に係る第１デバイスに設置される装置の構造図である。
【図９】図９は本発明の実施例に係る第２デバイスに設置される装置の構造図である。
【発明を実施するための形態】
【００４０】
本発明の目的、技術案及び利点をより明確にするために、以下に図面と具体的な実施例を参照しながら本発明を詳しく説明する。
【００４１】
本発明の要旨は、５Ｇ  ＮＲシステムにおいて、様々なサブキャリア間隔を用いるため、第１デバイスがプリセットサブキャリア間隔情報に基づいて第２デバイスへデータチャネルの時間領域リソース指示情報を送信することができることにある。プリセットサブキャリア間隔情報はシステムの用いた様々なサブキャリア間隔のうちの１つ、様々なサブキャリア間隔に基づくルール等を含んでもよいが、それらに限らない。
【００４２】
また、上記第１デバイスがネットワーク側機器であってもよく、第２デバイスが端末装置であってもよく、つまり、ネットワーク側機器が上記プリセットサブキャリア間隔情報に基づいて端末装置にデータチャネルの時間領域リソース情報を示す。しかしながら、本発明は更に端末装置同士の通信に適用され、つまり、第１端末装置が第２端末装置にデータチャネルの時間領域リソース情報を示すことにより、第１端末装置と第２端末装置とが該指示に従ってデータチャネルの送信及び受信を行う。後続の実施例において、いずれもネットワーク側機器が端末装置に示す場合を例として説明する。
【００４３】
本発明の実施例に係る端末装置は、無線通信機能を有する携帯電話、タブレットＰＣ、ノートパソコン、ＰＤＡ、マルチメディアデバイス、ひいてはインターネットカー、スマートウェアラブルデバイス等を含んでもよいが、それらに限らない。本発明の実施例に係るネットワーク側機器はＢＳＴ、ＮｏｄｅＢ、ｅＮｏｄｅＢ等の基地局装置を含んでもよいが、それらに限らない。以下、実施例を参照しながら本発明に係る方法を詳しく説明する。
【００４４】
データチャネルの時間領域リソース指示情報はデータチャネルの時間領域の起点、時間領域の終点及び時間領域の長さのうちの１つ又は任意の組み合わせ、又は、データチャネルの占有するシンボル又はスロットを含んでもよい。例えば、データチャネルの「起点＋時間領域の長さ」を示す方式を用いてもよく、更に、例えば、データチャネルの「起点＋終点」を示す方式を用いてもよく、更に、例えば、データチャネルがどのシンボル又はスロットを占有するかを示す方式等を用いてもよい。
【００４５】
一実現方式として、ネットワーク側機器が端末装置に送信した指示情報には上記例えばデータチャネルの時間領域の起点、時間領域の終点及び時間領域の長さのうちの１つ又は任意の組み合わせ、又は、データチャネルの占有するシンボル又はスロットのみが含まれる。そして、該指示情報の基礎となるプリセットサブキャリア情報はネットワーク側機器と端末装置とが予め決めた方式を用いてもよい。
【００４６】
他の実現方式として、ネットワーク側機器が端末装置に送信した指示情報には上記例えばデータチャネルの時間領域の起点、時間領域の終点及び時間領域の長さのうちの１つ又は任意の組み合わせ、又は、データチャネルの占有するシンボル又はスロットが含まれる以外に、更に、基礎となるプリセットサブキャリア情報が含まれてもよく、例えば、３ｂｉｔで基礎となるプリセットサブキャリア情報を示してもよい。
【００４７】
いくつかの例を挙げる。
【００４８】
例１
指示情報には該時間領域リソース情報の基礎となるサブキャリア間隔指示情報が含まれる。５Ｇ  ＮＲシステムにおいて様々なサブキャリア間隔を用い、例えば、制御チャネルがサブキャリア間隔ｆ１を用い、データチャネルがサブキャリア間隔ｆ２を用いる可能性があるため、ｆ２でデータチャネルの時間領域リソースを示す場合、上記指示情報には更にｆ２の指示情報を用いることが示されてもよい。
【００４９】
例２
指示情報には該時間領域リソース情報の基礎となるサブキャリア間隔の値が含まれる。例１との相違点は、例１の指示情報に含まれるのがサブキャリア間隔指示情報であるが、例２では具体的なサブキャリア間隔の値を直接指定したことにある。
【００５０】
例３
指示情報には該時間領域リソース指示情報の基礎となる様々なサブキャリア間隔に基づくルールのルール指示情報が含まれる。例えば、５Ｇ  ＮＲシステムにおいて、制御チャネルがサブキャリア間隔ｆ１を用い、データチャネルがサブキャリア間隔ｆ２を用いる場合、あるルールｆ（ｆ１，ｆ２）に従ってデータチャネルの時間領域リソースを示してもよい。例えば、ｆ（ｆ１，ｆ２）がｍａｘ（ｆ１，ｆ２）であってもよく、つまり、様々なサブキャリア間隔のうちの最大サブキャリア間隔を取る。当然ながら、他のルールを用いてもよく、ここで挙げない。
【００５１】
実施例１
【００５２】
データチャネルの時間領域の長さがデータチャネルの用いたサブキャリア間隔に基づいて示される。つまり、ネットワーク側機器がデータチャネルの用いたサブキャリア間隔に基づいてデータチャネルの時間領域の長さを示す。例えば、制御チャネルのサブキャリア間隔がｆ１、データチャネルのサブキャリア間隔がｆ２、ｆ２に基づくシンボル長がＳ２、ｆ２に基づくスロット長がＤ２であると仮定する場合、データチャネルの時間領域の長さがＳ２又はＤ２を単位として示され、具体的にＳ２又はＤ２の数を含むと具現される。
【００５３】
図１に示すように、ｆ１が１５ｋＨｚ、ｆ２が６０ｋＨｚであると仮定する場合、制御チャネルのシンボル長Ｓ１がデータチャネルのシンボル長Ｓ２の４倍であり、データチャネルの時間領域の長さを示すとき、Ｓ２を単位として示し、例えば１０個の長さがＳ２のシンボルである。
【００５４】
図２に示すように、ｆ１が６０ｋＨｚ、ｆ２が１５ｋＨｚであると仮定する場合、データチャネルのシンボル長Ｓ２が制御チャネルのシンボル長Ｓ１の４倍であり、データチャネルの時間領域の長さを示すとき、Ｓ２を単位として示し、例えば３つの長さがＳ２のシンボルである。
【００５５】
このような方式はデータチャネル長を判断するサブキャリア間隔を直接示す必要がなく、両端が直接データチャネルの用いたサブキャリア間隔のパラメータセットに基づき、それにより制御シグナリングのオーバーヘッドを低減する。
【００５６】
実施例２
【００５７】
データチャネルの時間領域の起点及び／又は時間領域の終点がデータチャネルの用いたサブキャリア間隔に基づいて示される。つまり、ネットワーク側機器がデータチャネルの用いたサブキャリア間隔に基づいてデータチャネルの時間領域の起点及び／又は時間領域の終点を示す。例えば、制御チャネルのサブキャリア間隔がｆ１、データチャネルのサブキャリア間隔がｆ２、ｆ２に基づくシンボル長がＳ２、ｆ２に基づくスロット長がＤ２であると仮定する場合、データチャネルの時間領域の起点又は時間領域の終点がＳ２及び／又はＤ２を単位として示される。
【００５８】
具体的に、データチャネルの時間領域の起点又は時間領域の終点が制御チャネルに対するデータチャネルの時間領域位置のオフセット量に含まれるＳ２及び／又はＤ２の数であると具現されてもよい。制御チャネルの時間領域位置は制御チャネルの時間領域の起点又は時間領域の終点の位置するｆ２に基づくシンボル又はスロットを含んでもよい。また、説明すべきことは、制御チャネルに対する時間領域位置で時間領域の起点又は時間領域の終点を具現する以外に、更に例えば同期チャネルに対する時間領域位置等の他の方式を用いてもよい。
【００５９】
図３に示すように、ｆ１が１５ｋＨｚ、ｆ２が６０ｋＨｚであると仮定する場合、制御チャネルのシンボル長Ｓ１がデータチャネルのシンボル長Ｓ２の４倍であり、データチャネルの時間領域の起点を示すとき、Ｓ２を単位として示し、例えば制御チャネルの終点の位置するｆ２に基づくシンボルからデータチャネルの時間領域の起点までのオフセット量が７つのＳ２長さのシンボルである。
【００６０】
図４に示すように、ｆ１が６０ｋＨｚ、ｆ２が１５ｋＨｚであると仮定する場合、データチャネルのシンボル長Ｓ２が制御チャネルのシンボル長Ｓ１の４倍であり、データチャネルの時間領域の起点を示すとき、Ｓ２を単位として示す。まず、制御チャネルの時間領域の終点の位置する長さがＳ２であるシンボルを決定し、次に、データチャネルの時間領域の起点から該シンボルまでの、例えば３つのＳ２長さのシンボルであるオフセット量を示す。
【００６１】
又は、データチャネルの時間領域の起点又は時間領域の終点が更に制御チャネルを含む時間領域エリアに対するデータチャネルの時間領域位置のオフセット量に含まれるＳ２及び／又はＤ２の数であると具現されてもよい。制御チャネルを含む時間領域は該制御チャネルを含む制御リソースセット（Ｃｏｎｔｒｏｌ  Ｒｅｓｏｕｒｃｅ  Ｓｅｔ）又は検索空間（Ｓｅａｒｃｈ  Ｓｐａｃｅ）であってもよい方に向かう。
【００６２】
制御リソースセットは制御チャネルが占有する可能性のある一部の時間周波数リソース範囲であり、送信機が制御リソースセット内のある時間周波数リソースにおいて制御チャネルを送信し、受信機が制御リソースセット内のある時間周波数リソースにおいて制御チャネルを受信する。
【００６３】
検索空間は受信機が制御チャネルを検索する時間領域範囲である。ある時刻に、受信機が制御リソースセット全体内に制御チャネルを検索する必要がないが、いくつかの制限条件に基づき、より狭い範囲内のみに検索することは、検索空間である。検索空間の占有する時間周波数リソースが制御リソースセットの一部である。
【００６４】
図５に示すように、ｆ１が１５ｋＨｚ、ｆ２が６０ｋＨｚであると仮定する場合、制御チャネルのシンボル長Ｓ１がデータチャネルのシンボル長Ｓ２の４倍であり、データチャネルの時間領域の起点を示すとき、Ｓ２を単位として示し、例えば制御チャネルを含む制御リソースセットからデータチャネルの時間領域の起点までのオフセット量が１０個のＳ２長さのシンボルである。
【００６５】
このような方式はデータチャネル時間領域の起点又は終点を判断するサブキャリア間隔を直接示す必要がなく、両端が直接データチャネルの用いたサブキャリア間隔のパラメータセットに基づき、それにより制御シグナリングのオーバーヘッドを低減する。
【００６６】
実施例３
【００６７】
データチャネルの時間領域の起点及び／又は時間領域の終点が様々なサブキャリア間隔に基づくルールに従って示される。例えば、該ルールは５Ｇ  ＮＲシステムにおける各サブキャリア間隔のうちの最大サブキャリア間隔を取ることであってもよい。つまり、ネットワーク側機器が最大サブキャリア間隔に基づいてデータチャネルの時間領域の起点及び／又は時間領域の終点を示す。例えば、制御チャネルのサブキャリア間隔がｆ１、データチャネルのサブキャリア間隔がｆ２、ｍａｘ（ｆ１，ｆ２）に基づくシンボル長がＳ、ｍａｘ（ｆ１，ｆ２）に基づくスロット長がＤであると仮定する場合、データチャネルの時間領域の起点又は時間領域の終点がＳ及び／又はＤを単位として示される。
【００６８】
実施例２と同様に、データチャネルの時間領域の起点又は時間領域の終点が制御チャネルに対するデータチャネルの時間領域位置のオフセット量に含まれるＳ及び／又はＤの数であると具現されてもよい。制御チャネルの時間領域位置は制御チャネルの時間領域の起点又は時間領域の終点の位置するｍａｘ（ｆ１，ｆ２）に基づくシンボル又はスロットを含んでもよい。
【００６９】
又は、データチャネルの時間領域の起点又は時間領域の終点が更に制御チャネルを含む時間領域エリアに対するデータチャネルの時間領域位置のオフセット量に含まれるＳ及び／又はＤの数であると具現されてもよい。制御チャネルを含む時間領域は該制御チャネルを含む制御リソースセット（Ｃｏｎｔｒｏｌ  Ｒｅｓｏｕｒｃｅ  Ｓｅｔ）又は検索空間（Ｓｅａｒｃｈ  Ｓｐａｃｅ）であってもよい方に向かう。
【００７０】
例えば、図６に示すように、ｆ１が６０ｋＨｚ、ｆ２が１５ｋＨｚであると仮定する場合、データチャネルのシンボル長Ｓ２が制御チャネルのシンボル長Ｓ１の４倍であり、データチャネルの時間領域の起点を示すとき、ｍａｘ（ｆ１，ｆ２）に基づき、つまり、ｆ１のシンボル長Ｓ１を単位として示す。まず、制御チャネルの時間領域の終点の位置する長さがＳ１であるシンボルを決定し、次に、データチャネルの時間領域の起点から該シンボルまでの、例えば１７個のＳ１長さのシンボルであるオフセット量を示す。このような方式では、実施例１及び実施例２におけるｆ２に基づく方式に比べて、端末は制御チャネルの時間領域の終点がどのＳ２シンボルに位置するかを把握する必要がなく、それにより端末の操作の複雑性を更に簡素化し、制御チャネルリソースのより柔軟な割り当ての実現に役立つ。
【００７１】
実施例４
【００７２】
データチャネルの占有するシンボル／スロットは、データチャネルの用いたサブキャリア間隔のシンボル／スロット長に基づくｂｉｔｍａｐ（ビットマップ）を用いて示される。つまり、ネットワーク側機器はデータチャネルの用いたサブキャリア間隔のシンボル／スロット長に基づくｂｉｔｍａｐを用いてデータチャネルの占有するシンボル／スロットを示す。例えば、制御チャネルのサブキャリア間隔がｆ１、データチャネルのサブキャリア間隔がｆ２、ｆ２に基づくシンボル長がＳ２、ｆ２に基づくスロット長がＤ２であると仮定する場合、データチャネルの占有するシンボルがＳ２に基づくｂｉｔｍａｐを用いて示され、データチャネルの占有するスロットがＤ２に基づくｂｉｔｍａｐを用いて示される。
【００７３】
このような方式はデータチャネルが連続しない時間領域リソースを占有する場合に特に適用される。図７に示すように、１つのｂｉｔｍａｐでデータチャネルの占有する時間領域リソースを示してもよく、各ｂｉｔが１つのＳ２長さのシンボルを示す。データチャネルが１、２、５、６、７、８、１０番目のＳ２長さのシンボルを占有すると仮定し、従って、１１００１１１１０１であるｂｉｔｍａｐを用いて示してもよい。これにより、このような方式は時間領域リソースのより柔軟なスケジューリングを実現することができる。
【００７４】
なお、上記実施例における方式はその１つを選択して利用してもよいし、それらを組み合わせて利用してもよい。例えば、実施例１におけるデータチャネルの時間領域の長さがデータチャネルの用いたサブキャリア間隔に基づいて示され、データチャネルの時間領域の起点がシステムにおける最大サブキャリア間隔に基づいて示される方式を用いてもよい。
【００７５】
ネットワーク側機器が上記実施例における方式で決定して端末装置へデータチャネルの時間領域リソース指示情報を送信し、それに対応して、端末装置が上記時間領域リソース指示情報を受信した後、上記実施例における時間領域リソース指示方式でデータチャネルの時間領域リソース指示情報を解析する。
【００７６】
また、説明すべきことは、本発明に係る方式は５Ｇ  ＮＲシステムに限らず、すべての様々なサブキャリア間隔を用いた移動通信システムに適用される。
【００７７】
ネットワーク側機器が上記方式でデータチャネルの時間領域リソース情報を示した後、ネットワーク側機器と端末装置とが示される時間領域リソースにおいてデータチャネルの送信及び受信を行うことができる。該データチャネルがアップリンクデータチャネルであってもよいし、ダウンリンクデータチャネルであってもよい。
【００７８】
以上は本発明に係る方法を詳しく説明したが、以下に本発明に係る装置を説明する。
【００７９】
図８は本発明の実施例に係る第１デバイスに設置される装置の構造図であり、図８に示すように、該装置は指示伝送ユニット００を備えてもよく、更に、指示決定ユニット１０を備えてもよい。
【００８０】
指示決定ユニット１０はプリセットサブキャリア間隔情報に基づいてデータチャネルを送信する時間領域リソース指示情報を決定して、前記時間領域リソース指示情報を前記指示伝送ユニット００に提供して送信することを担当する。
【００８１】
指示伝送ユニット００は様々なサブキャリア間隔を用いた移動通信システムにおいて、プリセットサブキャリア間隔情報に基づいて第２デバイスへデータチャネルの時間領域リソース指示情報を送信することを担当する。
【００８２】
図９は本発明の実施例に係る第２デバイスに設置される装置の構造図であり、図９に示すように、該装置は指示伝送ユニット００を備えてもよく、更に、指示解析ユニット２０を備えてもよい。
【００８３】
指示伝送ユニット００は様々なサブキャリア間隔を用いた移動通信システムにおいて、第１デバイスがプリセットサブキャリア間隔情報に基づいて送信したデータチャネルの時間領域リソース指示情報を受信する。
【００８４】
指示解析ユニット２０はプリセットサブキャリア間隔情報に基づいて指示決定ユニット００の受信したデータチャネルの時間領域リソース指示情報を解析することにより、データチャネルの占有する時間領域リソースを決定することを担当する。
【００８５】
方法実施例と類似的に、上記第１デバイスがネットワーク側機器であってもよく、第２デバイスが端末装置であってもよい。又は、第１デバイス及び第２デバイスがいずれも端末装置であってもよい。
【００８６】
装置実施例において、プリセットサブキャリア間隔情報に基づいてデータチャネルの時間領域リソース情報を示すことは方法実施例における関連説明を参照してもよく、ここで詳細な説明は省略する。
【００８７】
本発明の実施例に係る上記方法及び装置は１つ又は複数の集積回路、例えばコーデックチップの方式で実現されてもよいし、プログラムによって関連するハードウェアを命令することで完了してもよく、前記プログラムがコンピュータ可読記憶媒体に記憶されてもよい。上記実施例における各ユニットはハードウェアの形式で実現されてもよいし、ソフトウェア機能モジュールの形式で実現されてもよい。本発明はいかなる特定形式のハードウェアとソフトウェアとの組み合わせを制限しない。
【００８８】
例えば、デバイスにより実現されてもよく、該デバイスは、
１つ又は複数のプロセッサと、
メモリと、
前記メモリに記憶され、
様々なサブキャリア間隔を用いた移動通信システムにおいて、プリセットサブキャリア間隔情報に基づいて第２デバイスへデータチャネルの時間領域リソース指示情報を送信し、又は
第１デバイスがプリセットサブキャリア間隔情報に基づいて送信したデータチャネルの時間領域リソース指示情報を受信するという操作を実現するよう、前記１つ又は複数のプロセッサにより実行される１つ又は複数のプログラムと、を備える。
【００８９】
また、時間、技術の発展とともに、媒体の意味がますます広がり、プログラムの伝送経路が有形の媒体に制限されず、更にネットワーク経由で直接ダウンロードしてもよい。１つ又は複数のコンピュータ可読媒体の任意の組み合わせを用いてもよい。コンピュータ可読媒体がコンピュータ可読信号媒体又はコンピュータ可読記憶媒体であってもよい。コンピュータ可読記憶媒体が例えば電気、磁気、光、電磁、赤外線又は半導体システム、装置又はデバイス、又は、任意の以上の組み合わせであってもよいが、それらに限らない。コンピュータ可読記憶媒体のより具体的な例（非網羅的なリスト）は１つ又は複数の導線を有する電気接続、ポータブルコンピュータ磁気ディスク、ハードディスク、ランダムアクセスメモリ（ＲＡＭ）、読み出し専用メモリ（ＲＯＭ）、消去可能プログラム可能読み出し専用メモリ（ＥＰＲＯＭ又はフラッシュメモリ）、光ファイバー、ポータブルコンパクト磁気ディスク読み出し専用メモリ（ＣＤ−ＲＯＭ）、光記憶装置、磁気記憶装置又は上記任意の適切な組み合わせを含む。本明細書において、コンピュータ可読記憶媒体がプログラムを包含又は記憶する有形の媒体であってもよく、該プログラムが命令実行システム、装置又はデバイスに利用され又はそれと組み合わせて利用されてもよい。
【００９０】
コンピュータ可読信号媒体がベースバンド又はキャリアの一部として伝播するデータ信号に含まれてもよく、その中にコンピュータ可読プログラムコードを含める。このような伝播するデータ信号が様々な形式を用いてもよく、前記様々な形式は電磁信号、光信号又は上記任意の適切な組み合わせを含むが、それらに限らない。コンピュータ可読信号媒体が更にコンピュータ可読記憶媒体以外の任意のコンピュータ可読媒体であってもよく、該コンピュータ可読媒体は命令実行システム、装置又はデバイスに利用された又はそれと組み合わせて利用されたプログラムを送信、伝播又は伝送することができる。
【００９１】
以上の説明は本発明の好適な実施例に過ぎず、本発明を制限するためのものではなく、本発明の趣旨及び原則内に行ったいかなる修正、等価置換、改良等は、いずれも本発明の保護範囲内に含まれるべきである。
【図１】
2020529142.tif 000003
【図２】
2020529142.tif 000004
【図３】
2020529142.tif 000005
【図４】
2020529142.tif 000006
【図５】
2020529142.tif 000007
【図６】
2020529142.tif 000008
【図７】
2020529142.tif 000009
【図８】
2020529142.tif 000010
【図９】
2020529142.tif 000011
【手続補正書】
【提出日】令和2年5月26日(2020.5.26)
【手続補正１】
【補正対象書類名】明細書
【補正対象項目名】００１８
【補正方法】変更
【補正の内容】
【００１８】
本発明の具体的な実施形態によれば、前記データチャネルの時間領域の起点及び／又は時間領域の終点が第２シンボル長及び／又は第２スロット長を単位として示されることは、具体的に、
前記データチャネルの時間領域の起点及び／又は時間領域の終点が前記制御チャネルに対するデータチャネルの時間領域位置のオフセット量に含まれる第２シンボル長及び／又は第２スロット長の数を用いて示され、又は
前記データチャネルの時間領域の起点及び／又は時間領域の終点が前記制御チャネルを含む時間領域エリアに対するデータチャネルの時間領域位置のオフセット量に含まれる第２シンボル長及び／又は第２スロット長の数を用いて示されることを含む。
【手続補正２】
【補正対象書類名】明細書
【補正対象項目名】００８４
【補正方法】変更
【補正の内容】
【００８４】
指示解析ユニット２０はプリセットサブキャリア間隔情報に基づいて指示伝送ユニット００の受信したデータチャネルの時間領域リソース指示情報を解析することにより、データチャネルの占有する時間領域リソースを決定することを担当する。
【手続補正３】
【補正対象書類名】特許請求の範囲
【補正対象項目名】全文
【補正方法】変更
【補正の内容】
【特許請求の範囲】
【請求項１】
時間領域リソース情報の指示方法であって、
様々なサブキャリア間隔を用いた移動通信システムにおいて、端末装置はネットワーク機器がプリセットサブキャリア間隔情報に基づいて送信したデータチャネルの時間領域リソース指示情報を受信し、
前記プリセットサブキャリア間隔情報は前記様々なサブキャリア間隔のうちの１つを含むことを特徴とする時間領域リソース情報の指示方法。
【請求項２】
前記データチャネルの時間領域リソース指示情報は、
データチャネルの時間領域の起点、時間領域の終点及び時間領域の長さのうちの１つ又は任意の組み合わせ、又は
データチャネルの占有するシンボル又はスロットを含むことを特徴とする請求項１に記載の方法。
【請求項３】
前記データチャネルの時間領域の起点及び／又は時間領域の終点がデータチャネルの用いたサブキャリア間隔に基づいて示され、又は
前記データチャネルの時間領域の起点及び／又は時間領域の終点が様々なサブキャリア間隔に基づくルールに従って示されることを特徴とする請求項２に記載の方法。
【請求項４】
前記データチャネルの時間領域の起点及び／又は時間領域の終点がデータチャネルの用いたサブキャリア間隔に基づいて示されることは、具体的に、
前記データチャネルの時間領域の起点及び／又は時間領域の終点が第１シンボル長及び／又は第１スロット長を単位として示され、前記第１シンボル長がデータチャネルの用いたサブキャリア間隔に基づくシンボル長であり、第１スロット長がデータチャネルの用いたサブキャリア間隔に基づくスロット長であることを含むことを特徴とする請求項３に記載の方法。
【請求項５】
前記データチャネルの時間領域の起点及び／又は時間領域の終点が第１シンボル長及び／又は第１スロット長を単位として示されることは、具体的に、
前記データチャネルの時間領域の起点及び／又は時間領域の終点が制御チャネルに対するデータチャネルの時間領域位置のオフセット量に含まれる第１シンボル長及び／又は第１スロット長の数を用いて示され、又は
前記データチャネルの時間領域の起点及び／又は時間領域の終点が前記制御チャネルを含む時間領域エリアに対するデータチャネルの時間領域位置のオフセット量に含まれる第１シンボル長及び／又は第１スロット長の数を用いて示されることを含むことを特徴とする請求項４に記載の方法。
【請求項６】
前記制御チャネルの時間領域位置は、
前記制御チャネルの時間領域の起点又は時間領域の終点の位置するデータチャネルのサブキャリア間隔に基づくシンボル又はスロットを含むことを特徴とする請求項５に記載の方法。
【請求項７】
前記移動通信システムにおいて、制御チャネル及びデータチャネルが異なる帯域幅セグメントを用いることを特徴とする請求項１に記載の方法。
【請求項８】
端末側に設置される時間領域リソース情報の指示装置であって、
様々なサブキャリア間隔を用いた移動通信システムにおいて、ネットワーク機器がプリセットサブキャリア間隔情報に基づいて送信したデータチャネルの時間領域リソース指示情報を受信するための指示伝送ユニットを備え、前記プリセットサブキャリア間隔情報が前記様々なサブキャリア間隔のうちの１つを含むことを特徴とする時間領域リソース情報の指示装置。
【請求項９】
前記装置は、更に、
プリセットサブキャリア間隔情報に基づいて受信したデータチャネルの時間領域リソース指示情報を解析することにより、データチャネルの占有する時間領域リソースを決定するための指示解析ユニットを備え、
前記指示伝送ユニットはネットワーク機器から送信されたデータチャネルの時間領域リソース指示情報を受信することに用いられることを特徴とする請求項８に記載の装置。
【請求項１０】
前記データチャネルの時間領域リソース指示情報は、
データチャネルの時間領域の起点、時間領域の終点及び時間領域の長さのうちの１つ又は任意の組み合わせ、又は
データチャネルの占有するシンボル又はスロットを含むことを特徴とする請求項８又は９に記載の装置。
【請求項１１】
前記データチャネルの時間領域リソース指示情報は、更に、
該時間領域リソース指示情報の基礎となるサブキャリア間隔指示情報、
該時間領域リソース指示情報の基礎となるサブキャリア間隔の値、
該時間領域リソース指示情報の基礎となる様々なサブキャリア間隔に基づくルールのルール指示情報のうちの少なくとも１つを含むことを特徴とする請求項１０に記載の装置。
【請求項１２】
前記データチャネルの時間領域の長さがデータチャネルの用いたサブキャリア間隔に基づいて示されることを特徴とする請求項１０に記載の装置。
【請求項１３】
前記データチャネルの時間領域の起点及び／又は時間領域の終点がデータチャネルの用いたサブキャリア間隔に基づいて示され、又は
前記データチャネルの時間領域の起点及び／又は時間領域の終点が様々なサブキャリア間隔に基づくルールに従って示されることを特徴とする請求項１０に記載の装置。
【請求項１４】
前記データチャネルの占有するシンボルが第１シンボル長に基づくビットマップｂｉｔｍａｐを用いて示され、
前記データチャネルの占有するスロットが第１スロット長に基づくｂｉｔｍａｐを用いて示され、
前記第１シンボル長がデータチャネルの用いたサブキャリア間隔に基づくシンボル長であり、第１スロット長がデータチャネルの用いたサブキャリア間隔に基づくスロット長であることを特徴とする請求項１０に記載の装置。
【請求項１５】
前記移動通信システムにおいて、制御チャネル及びデータチャネルが異なる帯域幅セグメントを用いることを特徴とする請求項８に記載の装置。
【手続補正４】
【補正対象書類名】図面
【補正対象項目名】図２
【補正方法】変更
【補正の内容】
【図２】
2020529142.tif 000012
【国際調査報告】
2020529142.tif 000013
2020529142.tif 000014
2020529142.tif 000015
2020529142.tif 000016